(57)【特許請求の範囲】
【請求項１】
略円環状を呈して対向配置される一側ホルダ部と他側ホルダ部とに電流センサを各別に収納し、かつ、その閉止時に相互が当接する突合せ端部を備えてなる一側センサ部と他側センサ部とを計器本体に開閉自在に取り付け、一側センサ部側の前記突合せ端部が位置する前記一側ホルダ部の開放端部には、先端面側を開口させた凹陥部を設け、他側センサ部側の前記突合せ端部が位置する前記他側ホルダ部の開放端部には、その閉止時に前記凹陥部内に位置させる突出部を設けるとともに、前記凹陥部の内側面の対向２面の少なくとも各一箇所には凹部を、該凹部と各別に対面する前記突出部の外側面の少なくとも各一箇所には凸部を設けて閉止時に捩り方向での外力を受けた際の掛合を自在としたクランプ式電流計において、
前記凹陥部は、前記先端面の外周縁側を囲繞する周壁部の内側を前記内側面として確保される１つの穴状に形成され、
前記突出部は、その閉止時に前記内側面とは非接触状態のもとで前記凹陥部内に位置させる１つの突起状に形成され、
前記凹部と前記凸部とは、前記一側ホルダ部と前記他側ホルダ部とが正対して閉止された際には相互に掛合せず、閉止時に捩り方向での外力を受けた際にのみ掛合する配置関係のもとで配設したことを特徴とするクランプ式電流計。
【発明の詳細な説明】
【技術分野】
【０００１】
本発明は、測定時の閉止した状態のもとで捩れ方向の力がかかることがあっても、突合せ端部相互を開きづらくすることで正確に測定することができるようにしたクランプ式電流計に関する技術である。
【背景技術】
【０００２】
クランプ式電流計は、活線状態にある電線等の被測定導体をクランプして測定する際に用いられ、安定した測定を行う上からは、突合せ端部相互を常に正対する位置関係のもとで当接・閉止させておく必要がある。
【０００３】
下記特許文献１には、上記要請から正対する位置関係を保持させるために採用された突合せ端部構造の一例が開示されている。
【特許文献１】特開平１１−２９５３４７号公報
【０００４】
上記引用文献１によれば、各突合せ端部は、その閉止時に一側ホルダ側の突起部は他側ホルダ側の凹陥部と、一側ホルダ側の凹陥部は他側ホルダ側の突起部と相互に嵌合させることで、電流センサの当接面相互を正対させて確実に当接させることができることになる。
【発明の開示】
【発明が解決しようとする課題】
【０００５】
しかし、特許文献１の開示技術によれば、込み入った場所にクランプセンサ側を入れて測定する際には、測定値を表示する表示部が見づらくなってしまうので、捩って表示部を無理に見ようとすることになる。
【０００６】
このようにクランプセンサ側に捩りをかける場合には、通常状態では閉止している突合せ端部相互がこじ開けられてしまい、正確に測定することができなくなるという不都合があった。
【０００７】
本発明は、従来技術の上記課題に鑑みてなされたものであり、測定時に捩りをかけてしまっても、突合せ端部相互がこじ開けられてしまうのを効果的に阻止することができるクランプ式電流計を提供することに目的がある。
【課題を解決するための手段】
【０００８】
本発明は、上記目的を達成すべくなされたものであり、略円環状を呈して対向配置される一側ホルダ部と他側ホルダ部とに電流センサを各別に収納し、かつ、その閉止時に相互が当接する突合せ端部を備えてなる一側センサ部と他側センサ部とを計器本体に開閉自在に取り付け、一側センサ部側の前記突合せ端部が位置する前記一側ホルダ部の開放端部には、先端面側を開口させた凹陥部を設け、他側センサ部側の前記突合せ端部が位置する前記他側ホルダ部の開放端部には、その閉止時に前記凹陥部内に位置させる突出部を設けるとともに、前記凹陥部の内側面の対向２面の少なくとも各一箇所には凹部を、該凹部と各別に対面する前記突出部の外側面の少なくとも各一箇所には凸部を設けて閉止時に捩り方向での外力を受けた際の掛合を自在としたクランプ式電流計において、前記凹陥部は、前記先端面の外周縁側を囲繞する周壁部の内側を前記内側面として確保される１つの穴状に形成され、前記突出部は、その閉止時に前記内側面とは非接触状態のもとで前記凹陥部内に位置させる１つの突起状に形成され、前記凹部と前記凸部とは、前記一側ホルダ部と前記他側ホルダ部とが正対して閉止された際には相互に掛合せず、閉止時に捩り方向での外力を受けた際にのみ掛合する配置関係のもとで配設したことを最も主要な特徴とする。
【０００９】
【発明の効果】
【００１０】
本発明によれば、一側ホルダ部の開放端部に設けた凹陥部の内側面には凹部を、他側ホルダ部の開放端部に設けた突出部の外側面には凸部をそれぞれ設け、閉止時に捩り方向での外力を受けた際にこれら凹部と凸部とを掛止させて、一側センサ部の突合せ端部と他側センサ部の突合せ端部とを開きづらくすることで、正確な測定を行うことができる。
【発明を実施するための最良の形態】
【００１１】
図１は、本発明の一例を示す説明図であり、そのうちの（ａ）は正面図を、（ｂ）は（ａ）におけるＡ−Ａ線矢視方向での断面図を、（ｃ）は（ｂ）における断面部位の拡大図をそれぞれ示す。また、図２は、左側に位置する一側ホルダ部の一例を示す説明図であり、そのうちの（ａ）は全体斜視図を、（ｂ）は要部拡大図をそれぞれ示す。さらに、図３は、右側に位置する他側ホルダ部の一例を示す説明図であり、そのうちの（ａ）は全体斜視図を、（ｂ）は要部拡大図をそれぞれ示す。
【００１２】
これらの図によれば、クランプ式電流計１１は、略円環状を呈して対向配置される一側ホルダ部１６と他側ホルダ部２６とに電流センサ１５，２５を各別に収納し、かつ、その閉止時に相互が当接する突合せ端部１４，２４を備えてなる一側センサ部１３と他側センサ部２３とを計器本体１２に開閉自在に取り付けることでその全体が形成されている。
【００１３】
このうち、一側センサ部１３側の突合せ端部１４が位置する一側ホルダ部１６の開放端部１６ａには、先端面１４ａの外周縁側を囲繞する周壁部２１の内側を内側面１７ａとして確保される１つの穴状に形成されて、先端面１４ａとの対向面側を開口させた凹陥部１７が設けられている。また、他側センサ部２３側の突合せ端部２４が位置する他側ホルダ部２６の開放端部２６ａには、１つの突起状に形成されて、その閉止時に内側面１７ａとは非接触状態のもとで凹陥部１７内に位置させる突出部２７が設けられている。
【００１４】
しかも、一側ホルダ部１６の凹陥部１７の内側面１７ａにおける前後方向での対向２面には、凹部１８が各別に設けられている。
【００１５】
また、その閉止時に個々の凹部１８と対面する他側ホルダ部２６の突出部２７の外側面２７ａの開放縁側の２箇所には、凸部２８が各別に設けられており、閉止時に捩り方向での外力を受けた際に対面する各凹部１８との掛合が自在となっている。
【００１６】
この場合における一側ホルダ部１６の凹部１８と他側ホルダ部２６の凸部２８とは、一側ホルダ部１６と他側ホルダ部２６とが正対して閉止される際には相互に掛合せず、閉止時に捩り方向での外力を受けた際にのみ掛合する配置関係のもとで形成されている。
【００１７】
次に、上記構成からなる本発明の作用・効果を説明すれば、クランプ式電流計１１を用いた活線状態にある被測定線のクランプは、一側ホルダ部１６が備えるレバー１９と他側ホルダ部２６が備えるレバー２９とを押し込んで突合せ端部１４，２４側を開いて被測定線を導入した後、レバー１９，２９に対する押圧力を解除することで突合せ端部１４，２４側を閉止することで行われる。
【００１８】
この際、一側ホルダ部１６の凹陥部１７内には、他側ホルダ部２６の突出部２７を凸部２８がその内側面１７ａに接触しない状態のもとで緩く送り入れることができるので、クランプ作業を円滑に行うことができることになる。
【００１９】
このようにして活線状態にある被測定線をクランプした後に、クランプ式電流計１１を用いた測定が行われ、表示部３１を目視することで測定値を確認することができることになる。
【００２０】
また、込み入った場所でクランプ式電流計１１を用いた測定を行う場合には、活線状態にある被測定線をクランプした後に、表示部３１を目視できる位置にまで捩って表示部３１に表示されている測定値を目視確認する必要が生じる。
【００２１】
このように活線状態にある被測定線をクランプしながら一側ホルダ部１６側と他側ホルダ部２６側とに捩り方向への力がかかると、閉止状態にある突合せ端部１４，２４にこじ開け方向への力がかかり、一方に偏ろうとする。
【００２２】
しかし、一側ホルダ部１６の凹陥部１７の内側面１７ａには、凹部１８が形成されており、他側ホルダ部２６の突出部２７には、凸部２８が形成されているので、閉止状態にある突合せ端部１４，２４にこじ開け方向への力がかかった際に凹部１８と凸部２８とが掛合することになる。
【００２３】
その結果、突合せ端部１４，２４相互は、こじ開けられることなくその閉止状態を保つことができるので、正確で安定した測定を行うことができる。
【００２４】
以上は、本発明を図示例に基づいて説明したものであり、その具体的な内容は、本発明の要旨を逸脱しない限り、種々の変形を加えることができる。例えば、図示例では、一側ホルダ部１６の凹部１８が凹陥部１７の内側面１７ａの奥端側に形成され、他側ホルダ部２６の凸部２８が突出部２７の外側面２７ａの開放縁側に形成されているが、相互に対応する位置関係にさえあれば、例えば凹部１８をやや開口寄りの内側面１７ａに、凸部２８を外側面２７ａの対応位置に形成することもできる。また、一側ホルダ部１６の凹部１８と他側ホルダ部２６の凸部２８とは、対応する位置関係にさえあれば、各複数箇所に設けておくこともできる。
【図面の簡単な説明】
【００２５】
【図１】本発明の一例を示す説明図であり、そのうちの（ａ）は正面図を、（ｂ）は（ａ）におけるＡ−Ａ線矢視方向での断面図を、（ｃ）は（ｂ）における断面部位の拡大図をそれぞれ示す。
【図２】左側に位置する一側ホルダ部の一例を示す説明図であり、そのうちの（ａ）は全体斜視図を、（ｂ）は要部拡大図をそれぞれ示す。
【図３】右側に位置する他側ホルダ部の一例を示す説明図であり、そのうちの（ａ）は全体斜視図を、（ｂ）は要部拡大図をそれぞれ示す。
【符号の説明】
【００２６】
１１  クランプ式電流計
１２  計器本体
１３  一側センサ部
１４  突合せ端部
１４ａ 先端面
１５  電流センサ
１６  一側ホルダ部
１６ａ  開放端部
１７  凹陥部
１７ａ  内側面
１８  凹部
１９  レバー
２１ 囲壁部
２３  他側センサ部
２４  突合せ端部
２５  電流センサ
２６  他側ホルダ部
２６ａ  開放端部
２７  突出部
２７ａ  外側面
２８  凸部
１９  レバー
３１  表示部
【図１】
0005449657.tif 000002
【図２】
0005449657.tif 000003
【図３】
0005449657.tif 000004